(57)【要約】【課題】従来利用されることのなかった貯留皿の中空内部に演出媒体を備え、その演出媒体による視覚的・聴覚的な遊技演出によって様々な演出性を発揮することのできる貯留皿、貯留皿ユニット及び遊技機を提供すること。【解決手段】この貯留皿は、球２０を用いた遊技を実現する遊技盤６を内包するパチンコ機２の前面側に配置され、パチンコ機２内部を通って排出される球２０を貯留する貯留皿であって、少なくともその一部に実質的に光透過性を有する透光部１４ｅを有し、透光部１４ｅが中空構造とされ、中空内部に疑似球２１が通過可能又は保持可能とされている。【選択図】図２
2008237650.tif 000002
【特許請求の範囲】
【請求項１】
遊技媒体を用いた遊技を実現する遊技装置体を内包する遊技機の前面側に配置され、該遊技機内部を通って排出される前記遊技媒体を貯留する貯留皿であって、
少なくともその一部に実質的に光透過性を有する透光部を有し、
該透光部が中空構造とされ、
該中空内部に演出媒体が通過可能又は保持可能とされた貯留皿。
【請求項２】
前記演出媒体が前記遊技媒体である請求項１に記載の貯留皿。
【請求項３】
請求項１又は請求項２に記載の貯留皿と、
前記演出媒体を駆動する駆動手段と、
該駆動手段を制御する制御手段と、を有する貯留皿ユニット。
【請求項４】
前記制御手段が、前記遊技機の遊技の状況に基づき前記駆動手段を制御する請求項３に記載の貯留皿ユニット。
【請求項５】
遊技機の周囲を囲む枠体と、
前記遊技装置体と、
前記遊技装置体に対して一定距離以上離間して配置された前面透明板と、
前記遊技媒体を前記遊技装置体の上部に向けて発射する発射ユニットと、
請求項１又は請求項２の貯留皿と、を有する遊技機。
【発明の詳細な説明】
【技術分野】
【０００１】
本発明は、貯留皿、貯留皿ユニット及び遊技機に係り、特に中空内部に演出媒体を備えて遊技演出を実現可能な貯留皿等に関する。
【背景技術】
【０００２】
パチンコ機等の遊技機では、発射ユニットによって弾球された球が遊技盤面上の遊技領域内を流下して、その流下の過程で球が遊技領域内のゲージ（釘ともいう。）や羽根車に衝突しつつ転回して流下方向が変化する。その結果、遊技領域内に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
一般に、パチンコ機は遊技媒体としての球を貯留するための貯留皿を備えている。この貯留皿は、パチンコ機の前面やや下方に設けられた部材であって、凹状の貯留部を有してその貯留部に多数の球を貯留可能とされている。
【０００４】
貯留皿には、１つの皿であらゆる貯留機能を実現するものもあるが、上皿と下皿とが別体で構成されたものもある。この上皿は、パチンコ機から払い出される景品球を受け取る機能と球を球発射ユニットに向けて送り出す機能とを有している。そして、下皿は、上皿からの余剰球を受け取ったりファール球（弾球強度が弱く、遊技領域にまで到達しなかった球。）を受け取ったりする機能を有している。そして、遊技終了時には、上皿の球を一旦下皿に向けて排出し、更に下皿の球をその下方の球箱に向けて排出することが可能となっている。例えば上皿と下皿とが別体に構成されたものとして、特許文献１に開示のものがある。
【０００５】
また、この貯留皿に着脱自在な表示プレートを設け、その表示プレートによって装飾効果を得ることを目的とした構成について特許文献２に開示されている。
【０００６】
【特許文献１】特開平０９−１７３５７０号公報
【特許文献２】特開２００６−２８８５９８号公報
【発明の開示】
【発明が解決しようとする課題】
【０００７】
しかしながら、このような貯留皿はパチンコ機の下方部分に固定的に設けられており、球を貯留するという機能以外に特段の機能を有していない。しかも、パチンコ機の前面に設けられて遊技者の目につき易く大きな位置を占めているにも拘わらず、遊技性や演出性に殆ど寄与しておらず、貯留皿によって興趣を増大させることが殆ど行われていない。
【０００８】
例えば、特許文献１に開示のものは装飾効果を得ることを目的として貯留皿表面に表示プレートを設けているが、この表示プレートは遊技者等に対して単に情報を提供しているにすぎないものである。着脱自在とはいえ固定的であり、情報を変更するためにはわざわざ交換しなければならず面倒であるという問題もある。したがって、遊技性や演出性を発揮するものとはいえず、また、遊技の途中でその遊技状況に応じて様々に演出態様を変化させることも困難である。
【０００９】
本発明は上記の事情に鑑みて為されたもので、従来利用されることのなかった貯留皿の中空内部に演出媒体を備え、その演出媒体による視覚的・聴覚的な遊技演出によって様々な演出性を発揮することのできる貯留皿、貯留皿ユニット及び遊技機を提供することを例示的課題とする。
【課題を解決するための手段】
【００１０】
上記の課題を解決するために、本発明の例示的側面としての貯留皿は、遊技媒体を用いた遊技を実現する遊技装置体を内包する遊技機の前面側に配置され、遊技機内部を通って排出される遊技媒体を貯留する貯留皿であって、少なくともその一部に実質的に光透過性を有する透光部を有し、透光部が中空構造とされ、中空内部に演出媒体が通過可能又は保持可能とされていることを特徴とする。
【００１１】
貯留皿の一部が透光部とされ、その中空内部に演出媒体が通過可能又は保持可能であるので、遊技者が外部から貯留皿内部の演出媒体を視認することができる。したがって、従来演出的利用が為されていなかった貯留皿内部において遊技演出を実現することができる。一般に遊技機の前面下方の大部分を占める貯留皿の内部において遊技演出を実現することができるので、遊技者の目に付き易く興味を惹き付け易い遊技演出が可能となる。したがって、遊技者の興趣を大きく増大させることができる。
【００１２】
貯留皿の中空内部を利用して遊技演出を行うことができるので、遊技演出のために別途スペースを必要としない。貯留皿により覆われているので演出媒体が破損する心配もなく、また、演出媒体として液体等の流体を利用することも可能となる。
【００１３】
なお、ここで遊技機とは例えばパチンコ機であり、遊技媒体とは例えばパチンコ機に用いられる球（パチンコ球）であり、遊技装置体とは例えば球に流下領域としての遊技領域を有する遊技盤である。また、遊技機から遊技者に向かう方向を「前」、逆に遊技者から遊技機に向かう方向を「後」とする。
【００１４】
演出媒体が遊技媒体であってもよい。それにより、貯留皿に遊技媒体が貯留されていない場合に、あたかも貯留皿に遊技媒体が多数貯留されているかのような錯覚を生じさせることができ、遊技に面白みを付加することができる。また、中空内部で遊技媒体が移動可能であるように構成すれば、遊技媒体どうしが擦れ合う音によって遊技者の興趣を増大させることができる。
【００１５】
本発明の他の例示的側面としての貯留皿ユニットは、上記の貯留皿と、演出媒体を駆動する駆動手段と、駆動手段を制御する制御手段とを有することを特徴とする。
【００１６】
制御手段によって駆動手段を制御して演出媒体に動作を行わせることができるので、貯留皿の中空内部において演出媒体の動作による新規でかつ意外性のある遊技演出を自動的に実現することができる。制御手段によって演出媒体に複雑な動作を行わせることも可能となり、その遊技演出に接した遊技者を飽きさせずに興味を強く惹き付け続けることができる。
【００１７】
制御手段が、遊技機の遊技の状況に基づき駆動手段を制御してもよい。遊技機の遊技の状況、例えば後述する「予告演出実行状況」や「大当たり」ごとに演出媒体に異なる動作を行わせることができる。したがって、遊技自体の興趣性と演出媒体による演出性とが相乗効果を発揮し、遊技者の興趣を著しく増大させることができる。
【００１８】
本発明の更に他の例示的側面としての遊技機は、遊技機の周囲を囲む枠体と、遊技装置体と、遊技装置体に対して一定距離以上離間して配置された前面透明板と、遊技媒体を遊技装置体の上部に向けて発射する発射ユニットと、上記の貯留皿を有することを特徴とする。
【００１９】
この遊技機は、上記の貯留皿を有しているので、遊技機前面下方であって遊技者の目に付き易い部分において、今まで演出的利用が為されていなかった貯留皿内部での遊技演出を実現することができる。遊技演出のためのスペースを別途必要とすることもない。したがって、遊技者の興趣を大きく増大することができ、この遊技機で遊技を行う遊技者は、飽きることなく楽しく遊技を継続することができる。
【００２０】
本発明の更なる目的又はその他の特徴は、以下添付図面を参照して説明される好ましい実施の形態によって明らかにされるであろう。
【発明の効果】
【００２１】
本発明によれば、従来利用されることのなかった貯留皿の中空内部において視覚的・聴覚的な遊技演出によって様々な演出性を発揮することができるので、遊技者の目に付き易く興味を惹き付け易い遊技演出を実現することができる。また、貯留皿内部で遊技演出が行われるので、遊技演出のために別途スペースを必要とせず、演出媒体が破損する虞もなく、液体等の流体を利用した遊技演出を行うことも可能となる。
【００２２】
その遊技演出を遊技の状況に応じて実行することもできるので、遊技自体の興趣性と遊技演出による演出性とが相乗効果を発揮して、遊技者の興趣を著しく増大させることができる。
【発明を実施するための最良の形態】
【００２３】
［実施の形態１］
以下、本発明の実施の形態１について図面を用いて説明する。図１は、本発明の実施の形態１に係る遊技機としてのパチンコ機２の外観斜視図である。このパチンコ機２は、枠体３、遊技盤（遊技装置体）６、図柄表示装置７、前面ガラス（前面透明板）１０、発射ユニット（図示せず。）、貯留皿ユニット１４を有している。
【００２４】
パチンコ機２は、組合せ式パチンコ機、封入循環式パチンコ機、雀球機等を含む。また、遊技機としてはパチンコ機の他に、パチスロ機、スロットマシン、各種ゲーム機やアーケードマシン等を概念することができ、要するに遊技媒体を用いた遊技を実現し、その遊技媒体を貯留する貯留皿を有するあらゆる遊技機に本発明を適用可能である。
【００２５】
枠体３は、このパチンコ機２の周囲及び前方を囲むためのものである。パチンコ機２は枠体３により囲まれて、内部に遊技盤６その他の各種機構部品を内包し、周囲側面及び前面からのパチンコ機２内部への不正アクセスを防止する機能を有している。例えば、最後方に配置されてパチンコ機２の周囲を囲む筐体枠４、その前方にヒンジ部（揺動支持部）２２によって前方開閉可能に揺動支持されて遊技盤６を保持する機枠９、機枠の更に前方にヒンジ部２２によって前方開閉可能に揺動支持されて前面ガラス１０とその周囲を装飾する装飾部材３２とを保持する装飾枠１２とを有して枠体が構成されるが、その詳細は説明を省略する。
【００２６】
遊技盤６は、このパチンコ機２において、遊技媒体としての球２０の流下による遊技を実現するための遊技装置体である。遊技盤６の遊技盤面６ａには、略円形状に周囲を囲むようにレール飾り２６が取り付けられ、このレール飾り２６の内側面２６ａが遊技盤面６ａに対して立設して遊技領域６ｂを画定している。その遊技領域６ｂ内の略中央部には、図柄表示装置７が設けられている。そしてその図柄表示装置７の周囲に多数のゲージ２７、普通入賞口２８、特別入賞口２８ａ、始動入賞口２９、大入賞口２９ａ、アウト口３０、その他の各種役物（例えば、羽根車等。）が配置されている。
【００２７】
図示しない球発射装置により球２０が遊技領域６ｂ内の上部に向けて発射されると、球２０がゲージ２７に衝突してその流下方向を変えつつ遊技領域６ｂ内を流下するようになっている。その流下の途中で、あるものは普通入賞口２８に入賞して一定数の景品球払出しの契機となり、あるものは特別入賞口２８ａに入賞して普通入賞口２８への入賞時よりも多数の景品球払出しの契機となり、あるものはいずれの入賞口にも入賞せずにアウト口３０からパチンコ機２の外部へと排出される。
【００２８】
なお、本実施の形態１において、遊技機としてパチンコ機２を例示し、遊技装置体として遊技盤６を例示して説明している。しかしながら、遊技機がパチスロ機である場合は、回胴体が遊技媒体としてのコインを用いた遊技を実現する遊技装置体に相当する。
【００２９】
図柄表示装置７は、例えば液晶表示装置・有機ＥＬディスプレイ・ＬＥＤ等により構成されて遊技盤面６ａ側から視認可能に設けられ、その表示画面（映像表示面）７ａ上に映像表示を行うものである。この表示画面７ａ上には、例えば、３桁の数字又は文字等より構成される表示図柄７ｂが回転又は停止するように映像として表示される。また、例えば、キャラクター等によるストーリー仕立ての映像としての演出映像７ｃも表示画面７ａ上に表示されるようになっている。
【００３０】
球２０が始動入賞口２９に入賞すると、表示画面７ａ上の表示図柄７ｂが回転表示を開始し、徐々に速度を落として停止表示するようになっている。その停止表示の際の表示図柄７ｂが所定の態様（例えば、「７・７・７」。）であれば「大当たり」となり、大入賞口２９ａが開放して多量の球２０を入賞可能とする。大入賞口２９ａに多量の球２０が入賞すれば、それに伴い多量の球２０が景品球として払い出され、遊技者は大きな利益を得ることになる。一方、停止表示の際の表示図柄７ｂが所定の態様以外である場合には、「外れ」となり、大入賞口２９ａは開放せず、遊技者は景品球を獲得することができない。
【００３１】
このように、図柄表示装置７の表示画面７ａ上に表示される表示図柄７ｂの停止態様は、遊技者にとって大きな利益が得られるかどうかと連係するものである。なお、この図柄表示装置７においては、後述するように遊技の状況に応じて様々な演出映像７ｃが表示されるようになっており、その遊技の状況に応じて貯留皿ユニット１４も様々な動作をするようになっている。
【００３２】
前面ガラス１０は、遊技盤６に対して一定距離以上離間して配置された透明板である。前面ガラス１０は透明平板ガラスで形成されて装飾枠１２に保持され、遊技盤６との間に球２０が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００３３】
前面透明板としてはガラス素材の前面ガラス１０の他に、もちろん透明アクリル等の樹脂材料が使用されてもよい。また、本実施の形態１においては、前面ガラス１０が装飾枠１２に保持されるが、前面ガラス１０が遊技盤６の前面に取り付けられて、遊技盤６とともに機枠９に保持されるように構成されていてもよい。
【００３４】
発射ユニットは、球供給装置によって貯留皿ユニット１４の一部としての上皿１４ａから発射位置に送り出された球２０を遊技領域６ｂの上部に向けて発射（弾球）するためのものである。球発射装置は、例えば発射位置の球２０を弾球する発射杆、その発射杆を駆動する発射モータ、発射杆を付勢して弾球のための力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００３５】
図２は、貯留皿ユニット１４の概略構成を示す構成図である。この図２において、視認容易のため下皿１４ｂの前方部分を一部切断して示している。貯留皿ユニット１４は、球２０を貯留する貯留皿、貯留皿内部を通過する疑似球（演出媒体）２１、その疑似球２１を駆動する駆動モータ１６、駆動モータ１６を動作制御する制御回路（制御手段）１７を有して大略構成されている。パチンコ機２によっては貯留皿を１つのみ有する構成のものもあるが、本実施の形態１においては、パチンコ機２が貯留皿としての上皿１４ａと下皿１４ｂとを別々に有している。なお、図２においては、上皿１４ａの図示を省略している。
【００３６】
その上皿１４ａはパチンコ機２の前面側であって前面ガラス１０の下方に配置されて球２０を貯留する。上皿１４ａは、球２０が入賞口２８，２８ａ，２９，２９ａ等に入賞することによりパチンコ機２内部から払い出された景品球を受け取る機能、球２０を球供給装置（図示せず。）を介して発射ユニットに導くべく貯留する機能を有している。そして、遊技終了時には、遊技者が球排出ボタン１４ｃを操作することにより、球２０を上皿１４ａから下皿１４ｂへと排出することができるようになっている。
【００３７】
下皿１４ｂは、上皿１４ａの更に下方に配置され、上皿１４ａから排出された球２０を受け取る機能、ファール球をパチンコ機２内部から受け取る機能、その更に下方の球箱載置台に載置された球箱に向けて排出落下させるべく球２０を貯留する機能を有している。なお、貯留皿を１つのみ有する構成のパチンコ機２においては、その１つの貯留皿がこれら上皿１４ａの有する機能及び下皿１４ｂの有する機能をすべて備えることとなる。
【００３８】
この下皿１４ｂは、内部が中空構造とされていて、その中空内部が疑似球２１の球通路１４ｄとなっている。そして、その球通路１４ｄの一部が下皿１４ｂの前方部分において透光部１４ｅとされ、光透過性を有して中空内部が外部から視認可能とされている。球通路１４ｄは、下皿１４ｂの右側部１４ｆから左側部１４ｇに懸けて下方に傾斜しており、疑似球２１は球通路１４ｄ内を右側部１４ｆ側から左側部１４ｇ側へと流下するようになっている。その疑似球２１の流下の様子が、透光部１４ｅから視認可能となっている。
【００３９】
疑似球２１は、球通路１４ｄを転動流下することによって遊技演出を実現する演出媒体であり、例えば本実施の形態１においては、赤や青等のカラフルな彩色が施され、模様が付された球である。しかしながら、もちろん銀色の球（パチンコ球）２０自体が疑似球２１としてこの球通路１４ｄを流下するように構成されていてもよい。この疑似球２１は、貯留皿ユニット１４内に複数個保持されている。
【００４０】
右側部１４ｆの後方には導入通路１４ｈが配設されている。この導入通路１４ｈの一端は下皿１４ｂ中空内部の球通路１４ｄと連通しており、疑似球２１を球通路１４ｄへと導入可能となっている。導入通路１４ｈの他端は駆動モータ１６のモータ軸に取り付けられたスプロケット１６ａの上端近傍に位置し、スプロケット１６ａから送り出された疑似球２１を受け取ることができるようになっている。
【００４１】
左側部１４ｇの後方には導出通路１４ｊが配設されている。この導出通路１４ｊの一端は球通路１４ｄと連通しており、球通路１４ｄからの疑似球２１を受け取ることができるようになっている。導出通路１４ｊの他端はスプロケット１６ａの下端近傍に位置し、受け取った疑似球２１をスプロケット１６ａに向けて流下させることができるようになっている。
【００４２】
駆動モータ１６は、制御回路１７からの動作信号に基づいて図２中矢印Ｘ方向に回転駆動される。そして、導出通路１４ｊから受け取った疑似球２１をスプロケット１６ａによって導入通路１４ｈへと送り出すことができるようになっている。
【００４３】
制御回路１７は、このパチンコ機２の全体動作を制御する主基板（遊技制御回路）１９と接続されている。そしてその主基板１９は、図柄制御基板（図柄制御回路）８を介して図柄表示装置７と接続されている。主基板１９は、遊技の状況に応じて図柄制御基板８に対して制御指令を送出し、図柄表示装置７に当該遊技状況に係る遊技演出（例えば、演出映像７ｃの表示等の動作。）を行わせる。それと共に、制御回路１７に対しても制御指令を送出し、制御回路１７からの動作信号に基づいて駆動モータ１６に所定角度（又は所定回転数。）の回転を行わせる。
【００４４】
その回転角度（回転数）に応じてスプロケット１６ａによって送り出される疑似球２１の個数が調整され、結果として遊技状況に応じて異なる個数の疑似球２１が球通路１４ｄを通過することとなる。すなわち、遊技状況に応じて図柄表示装置７に表示された演出映像７ｃと連動して、所定個数の疑似球２１が球通路１４ｄを流下するようになっている。
【００４５】
次に、この貯留皿ユニット１４の動作について図３のフローチャートを用いて説明する。なお、このパチンコ機２は多彩な遊技の状況を有しており、その遊技の状況は、例えば「信頼度の低い予告演出」が実行される状況（低信頼度予告演出実行状況）、「信頼度の高い予告演出」が実行される状況（高信頼度予告演出実行状況）、「待機状態」、「リーチ演出」が実行される状況（リーチ演出状況）、「大当たり状態」等の種々の状況を含む。
【００４６】
ここで、遊技の状況とは、遊技者に対して付与される利益（例えば、景品球等。）、利益獲得の期待値、表示画面７ａ上での映像表示等の演出等に基づき変化する遊技中の状況である。本実施の形態１においては、例えば、図柄表示装置７の表示図柄７ｂが停止表示している状況（すなわち、球２０が始動入賞口２９に入賞していない状況。）を「待機状態」、回転表示中の表示図柄７ｂが所定態様（例えば、「７・７・７」。）で停止するとの期待値が低い予告演出（換言すれば、大当たりとなる可能性が低い場合に実行される予告演出、又は大当たりとなる場合に実行される可能性の低い予告演出。）が実行される状況を「低信頼度予告演出実行状況」、回転表示中の表示図柄７ｂが所定態様で停止するとの期待値が高い予告演出（換言すれば、大当たりとなる可能性が高い場合に実行される予告演出、又は大当たりとなる場合に実行される可能性の高い予告演出。）が実行される状況を「高信頼度予告演出実行状況」、表示図柄７ｂの３桁のうち２桁が所定態様を指標する「７」で停止しており残りの１桁が回転表示中のリーチ状態において演出が実行される状況を「リーチ演出状況」、表示図柄７ｂが所定態様で停止表示した状態を「大当たり状態」ということとする。
【００４７】
なお、パチンコ機２は、予め内部に複数種類の予告演出を有しており、遊技の状況に応じて、いずれかの予告演出を選択して実行することが可能となっている。例えば、表示図柄７ｂの回転表示中に、その表示図柄７ｂが停止する際の停止態様が所定態様となるか否かについての抽選がパチンコ機２内部で行われる。その抽選の結果、停止態様が所定態様であることが決定した場合に、パチンコ機２は回転表示中に予告演出を行うか否かを決定する。予告演出を行うと決定した場合に、複数の予告演出の中から１の予告演出を選択して実行するが、そのときに高い頻度で選択される予告演出を「信頼度の高い予告演出」という。反対に、所定態様が決定した場合であってその予告演出が実行される場合に、低い頻度で選択される予告演出（換言すれば、所定態様でないことが決定した場合であってその予告演出が実行される場合に、高い頻度で選択される予告演出。）を「信頼度の低い予告演出」という。
【００４８】
遊技者が発射ハンドル１５を操作して遊技を開始すると（Ｓ．１）、球２０が遊技領域６ｂの上部へと発射されて流下し、同時に図柄表示装置７の表示画面７ａに「待機状態」に係る演出映像７ｃが表示される。
【００４９】
球２０が始動入賞口２９に入賞すると（Ｓ．２）、表示図柄７ｂが回転表示を開始する。ここで、パチンコ機２内部において予告演出が行われるか否かが決定される（Ｓ．３）。予告演出が行われることが決定された場合（Ｓ．３）、「信頼度の低い予告演出」が選択された（「低信頼度予告演出実行状況」）か否かが判断される（Ｓ．４）。
【００５０】
「信頼度の低い予告演出」が選択された場合（Ｓ．４）、表示画面７ａ上に低信頼度予告演出実行状況に係る演出映像７ｃが表示される。そして、その演出映像７ｃに連動して駆動モータ１６が回転し、１個の疑似球２１を導入通路１４ｈに送り出して球通路１４ｄに通過させる（Ｓ．５）。このとき、送り出された１個の疑似球２１は球通路１４ｄを流下して、透光部１４ｅにおいて遊技者に視認される。１個の疑似球２１が下皿１４ｂ内部を流下する様子が透光部１４ｅから視認できるので、遊技者は「信頼度の低い予告演出」であることを認識することができて期待感を得ることになる。
【００５１】
そして、表示図柄７ｂが所定態様以外の態様で停止（いわゆる「外れ」。）した場合は（Ｓ．６）、駆動モータ１６は回転しない（Ｓ．７）。しかし、表示図柄７ｂが所定態様で停止すると（Ｓ．６）、パチンコ機２は大当たり状態となる（Ｓ．８）。そして、駆動モータ１６が継続して回転し、多数の疑似球２１を球通路１４ｄに通過させる（Ｓ．９）。多数の疑似球２１が下皿１４ｂ内部を流下する様子が透光部１４ｅから視認できるので、遊技者は「大当たり」を実感することができ、非常に大きな興趣を感じることとなる。
【００５２】
一方、「信頼度の高い予告演出」が選択された場合（Ｓ．４）、表示画面７ａ上に高信頼度予告演出実行状況に係る演出映像７ｃが表示される。そして、その演出映像７ｃに連動して駆動モータ１６が回転し、２個の疑似球２１を導入通路１４ｈに送り出して球通路１４ｄに通過させる（Ｓ．１０）。このとき、送り出された２個の疑似球２１は球通路１４ｄを流下して、透光部１４ｅにおいて遊技者に視認される。２個の疑似球２１が下皿１４ｂ内部を流下する様子が透光部１４ｅから視認できるので、遊技者は「信頼度の高い予告演出」であることを認識することができて非常に大きな期待感を得ることになる。
【００５３】
そして、表示図柄７ｂが所定態様以外の態様で停止（いわゆる「外れ」。）した場合は（Ｓ．６）、駆動モータ１６は回転しない（Ｓ．７）。しかし、表示図柄７ｂが所定態様で停止すると（Ｓ．６）、パチンコ機２は大当たり状態となる（Ｓ．８）。そして、駆動モータ１６が継続して回転し、多数の疑似球２１を球通路１４ｄに通過させる（Ｓ．９）。
【００５４】
［実施の形態２］
図４は、本発明の実施の形態２に係る貯留皿の一部としての下皿１４ｂの外観斜視図である。この実施の形態２においては、下皿１４ｂの全体が透光部１４ｅとされ、その中空内部１４ｋに多数の球２０が演出媒体として封入されている。
【００５５】
下皿１４ｂに球２０が貯留されていない場合であっても、あたかも下皿１４ｂ全体に球２０が満杯であるかのような遊技演出が可能となる。それにより、遊技者に錯覚を生じさせることができ、遊技に面白みを付加することができる。
【００５６】
［実施の形態３］
図５は、本発明の実施の形態３に係る貯留皿ユニット１４の概略構成を示す構成図である。なお、この図５においても、上皿１４ａの図示を省略している。
【００５７】
下皿１４ｂの中空内部１４ｋには、透光部１４ｅから視認可能に回転表示部材（演出媒体）１８が配置されている。この回転表示部材１８は、略三角柱形状とされており、３つの各側面にそれぞれ情報表示部１８ａが設けられている。その３つの情報表示部１８ａには、各々「くるかな〜？」、「もうすぐリーチ！」、「やった〜大当たり！！」との文字情報が表示されている。
【００５８】
この回転表示部材１８は、図示しない駆動モータにより、その回転軸１８ｂを中心に回転駆動されるようになっている。そして、遊技の状況に応じていずれかの情報表示部１８ａが透光部１４ｅから遊技者によって視認できるように回転／停止されるようになっている。
【００５９】
具体的には、パチンコ機２が「低信頼度予告演出実行状況」となった場合には、「くるかな〜？」と表示された情報表示部１８ａが視認されるように回転／停止され、「高信頼度予告演出実行状況」となった場合には、「もうすぐリーチ！」と表示された情報表示部１８ａが視認されるように回転／停止され、「大当たり状態」となった場合には、「やった〜大当たり！！」と表示された情報表示部１８ａが視認されるように回転／停止されるようになっている。
【００６０】
これにより、遊技者に視認され易い下皿１４ｂの内部において遊技の状況に応じた遊技演出が可能となり、遊技状況による興趣との相乗効果によって遊技者の興趣は大きく増大する。今まで演出に利用されなかった下皿１４ｂの内部を遊技演出に用いることにより、別途スペースを必要とせず、遊技者の意表をつく面白みのある遊技演出が可能となる。
【００６１】
以上、本発明の好ましい実施の形態を説明したが、本発明はこれらに限定されるものではなく、その要旨の範囲内で様々な変形や変更が可能である。例えば、実施の形態１において駆動モータ１６の代わりに図示しないポンプ（駆動手段）を用い、そのポンプにより演出媒体としての液体等の流体を下皿１４ｂの中空内部に通過させてもよい。この際、下皿１４ｂの中空内部やポンプの配管は、流体が漏れないように密閉構造とする必要があるのはいうまでもない。遊技の状況に応じて流体を通過させるか否か、また、流体の量や色を変化させることにより、今までにない遊技演出が可能となる。
【図面の簡単な説明】
【００６２】
【図１】本発明の実施の形態１に係るパチンコ機の外観斜視図である。
【図２】図１に示すパチンコ機が有する貯留皿ユニットの概略構成を示す構成図である。
【図３】図２の貯留皿ユニットの動作を説明するフローチャートである。
【図４】本発明の実施の形態２に係る貯留皿の一部としての下皿の外観斜視図である。
【図５】本発明の実施の形態３に係る貯留皿ユニットの概略構成を示す構成図である。
【符号の説明】
【００６３】
Ｘ：矢印
２：パチンコ機（遊技機）
３：枠体
４：筐体枠
６：遊技盤（遊技装置体）
６ａ：遊技盤面
６ｂ：遊技領域
７：図柄表示装置
７ａ：表示画面（映像表示面）
７ｂ：表示図柄
７ｃ：演出映像
８：図柄制御基板（図柄制御回路）
９：機枠
１０：前面ガラス（前面透明板）
１２：装飾枠
１４：貯留皿ユニット
１４ａ：上皿
１４ｂ：下皿
１４ｃ：球排出ボタン
１４ｄ：球通路
１４ｅ：透光部
１４ｆ：右側部
１４ｇ：左側部
１４ｈ：導入通路
１４ｊ：導出通路
１４ｋ：中空内部
１５：発射ハンドル
１６：駆動モータ
１６ａ：スプロケット
１７：制御回路（制御手段）
１８：回転表示部材（演出媒体）
１８ａ：情報表示部
１８ｂ：回転軸
１９：主基板（遊技制御回路）
２０：球（遊技媒体）
２１：疑似球（演出媒体）
２２：ヒンジ部（揺動支持部）
２６：レール飾り
２６ａ：内側面
２７：ゲージ
２８：普通入賞口
２８ａ：特別入賞口
２９：始動入賞口
２９ａ：大入賞口
３０：アウト口
３２：装飾部材
【図１】
2008237650.tif 000003
【図２】
2008237650.tif 000004
【図３】
2008237650.tif 000005
【図４】
2008237650.tif 000006
【図５】
2008237650.tif 000007